(57)【要約】【課題】電源プラグを抜き差しする場合に、充電部に触れる恐れがなく、プラグ本体の先端近傍にホコリが溜まりにくい、コンセントを提供する。【解決手段】第１溝３が形成された第１本体２と、前記第１溝３の奥側に配置された第１刃受４と、第２溝７が形成され、前記第１本体２に対し開閉可能に設けられた第２本体６と、前記第２溝７の奥側に配置された第２刃受１０とを備え前記第２本体６の開状態又は閉状態に応じて、各々、電源プラグの抜き差し又は固定が可能となる様に構成された。また、前記第２本体６を常時、閉じさせようとする付勢手段９を設けた。更に、前記第１刃受４は第１電源線に接続され、第２電源線に接続された導電片を設け、前記第２本体６の開状態又は閉状態に応じて、前記第２刃受１０は前記導電片に各々、離れ又は接続される。【選択図】        図２
2004227950.tif 000002
【特許請求の範囲】
【請求項１】
第１溝が形成された第１本体と、前記第１溝の奥側に配置された第１刃受と、第２溝が形成され、前記第１本体に対し開閉可能に設けられた第２本体と、前記第２溝の奥側に配置された第２刃受とを備え、前記第２本体の開状態又は閉状態に応じて、各々、電源プラグの抜き差し又は固定が可能となる様に構成された事を特徴とするコンセント。
【請求項２】
前記第２本体を常時、閉じさせようとする付勢手段を設けた事を特徴とする請求項１のコンセント。
【請求項３】
前記第１刃受は第１電源線に接続され、第２電源線に接続された導電片を設け、前記第２本体の開状態又は閉状態に応じて、前記第２刃受は前記導電片に各々、離れ又は接続される事を特徴とする請求項１のコンセント。
【請求項４】
前記第２本体が開かれた場合、前記電源プラグの第１刃は前記第１刃受に挿入され、前記電源プラグのプラグ本体は前記第１溝に挿入される構成とした事を特徴とする請求項１のコンセント。
【請求項５】
前記第２本体が閉じられた場合、前記電源プラグの第１刃および第２刃は各々、前記第１刃受および前記第２刃受に挿入され、前記電源プラグのプラグ本体は、前記第１溝および前記第２溝に挿入され、固定される事を特徴とする請求項１のコンセント。
【発明の詳細な説明】
【０００１】
【発明の属する技術分野】
本発明はコンセントに関する。
【０００２】
【従来の技術】
従来、この種のコンセントは例えば、特許文献１に示されている。この特許文献１によれば、本体１１と、導電刃受１７と、本体カバー１２等を有するコンセントが示されている。そして、電源プラグの第１刃と第２刃（共に図示せず）が本体カバー１２のプラグ挿入穴４を通り、導電刃受１７に挿入されている。
【０００３】
【特許文献１】
特開平６−１２４７４４号公報
【０００４】
【発明が解決しようとする課題】
上記電源プラグを抜き差しする場合や、第１刃および第２刃が完全に挿入されていない場合、使用者の指が第１刃および第２刃（充電部）の触れる恐れがある第１の欠点がある。また、この電源プラグを長時間、コンセントに挿入した場合電源プラグのプラグ本体（樹脂部分）の先端近傍に、ホコリが溜まる、第２の欠点がある。故に、本発明はこの様な従来の欠点を考慮し、電源プラグを抜き差しする場合に、充電部に触れる恐れがなく、プラグ本体の先端近傍にホコリが溜まりにくい、コンセントを提供する。
【０００５】
【課題を解決するための手段】
上記課題を解決するために、請求項１の本発明では、第１溝が形成された第１本体と、前記第１溝の奥側に配置された第１刃受と、第２溝が形成され、前記第１本体に対し開閉可能に設けられた第２本体と、前記第２溝の奥側に配置された第２刃受とを備え、前記第２本体の開状態又は閉状態に応じて、各々、電源プラグの抜き差し又は固定が可能となる様に構成された。
【０００６】
請求項２の本発明では、前記第２本体を常時、閉じさせようとする付勢手段を設けた。
【０００７】
請求項３の本発明では、前記第１刃受は第１電源線に接続され、第２電源線に接続された導電片を設け、前記第２本体の開状態又は閉状態に応じて、前記第２刃受は前記導電片に各々、離れ又は接続される。
【０００８】
請求項４の本発明では、前記第２本体が開かれた場合、前記電源プラグの第１刃は前記第１刃受に挿入され、前記電源プラグのプラグ本体は前記第１溝に挿入される構成とした。
【０００９】
請求項５の本発明では、前記第２本体が閉じられた場合、前記電源プラグの第１刃および第２刃は各々、前記第１刃受および前記第２刃受に挿入され、前記電源プラグのプラグ本体は、前記第１溝および前記第２溝に挿入され、固定される構成とした。
【００１０】
【発明の実施の形態】
以下に、図１ないし図４に従い、本発明の実施の形態に係るコンセント１を説明する。図１は第２本体が開かれた時、コンセント１の斜視図を示す。図２は第２本体が開かれた時、コンセント１の側面図を示す。図３は第２本体が閉じられた時、コンセント１の斜視図を示す。図４は第２本体が閉じられた時、コンセント１の側面図を示す。
【００１１】
これらの図において、第１本体２は例えば、絶縁性プラスチック等から成る。
第１本体２の前方側には、略凹状の第１溝３が形成されている。この第１溝３を除けば、第１本体２は略直方体状に形成されている。
【００１２】
第１刃受４は導電性材料から成る。第１刃受４は正面から見れば、略Ｕ字状に形成されている。第１刃受４は望ましくは、中間部が幅狭に、上部および下部が幅広に形成された方が良い。
【００１３】
第１刃受４は側面から見れば（図２参照）、略逆Ｌ字状に形成されている。第１刃受４の前方側は、第１溝３の奥側に配置されている。第１刃受４の後方側は第１電源線５の先端に接続されている。
【００１４】
第２本体６は例えば、絶縁性プラスチック等から成る。第２本体６の前方側には、略逆凹状の第２溝７が形成されている。第２本体６を側面から見れば、鈍角の略Ｌ字状に形成されている。
【００１５】
軸８は、第１本体２に形成された孔と、第２本体６に形成された孔を貫通する様に構成されている。上記構成により、第２本体６は軸８を中心として、第１本体２に対し、回転する事により、開閉可能に構成されている。
【００１６】
付勢手段９は例えば、バネ性の材料から成る板バネである。付勢手段９は例えば、略Ｖ字状に形成されている。付勢手段９の一側は第１本体２に固定され、他側は第２本体６に固定されている。
【００１７】
上記構成により、付勢手段９は、第２本体６を反時計回りに回転させる様に付勢する。即ち、付勢手段９は、第２本体６を常時、閉じさせる方向に付勢する（働く）。
【００１８】
第２刃受１０は導電性材料から成る。第２刃受１０は正面から見れば、略逆Ｕ字状に形成されている。第２刃受１０は望ましくは、中間部が幅狭に、上部および下部が幅広に形成された方が良い。
【００１９】
第２刃受１０は側面から見れば（図２参照）、略逆Ｌ字状に形成されている。第２刃受１０の前方側は、第２溝７の奥側に配置されている。
【００２０】
導電片１１は導電性材料から成り、略直方体に形成されている。導電片１１は例えば、第１本体２に固定されている。第２本体６が開状態にある時も（図２参照）、閉状態にある時も（図４参照）、導電片１１は位置が変わらない（静止している）。
【００２１】
導電片１１の後方側は、第２電源線１２の先端に接続されている。上記構成により、第２本体６が開状態の時に（図２参照）、第２刃受１０の後方側は、導電片１１の前方側と離れている。第２本体６が閉状態の時に（図４参照）、第２刃受１０の後方側は、導電片１１の前方側に接続されている。
【００２２】
この様に、第２本体６の開状態又は閉状態に応じて、第２刃受１０は、導電片１１に各々、離れ又は接続されている。なお、第１電源線５および第２電源線１２は共に、先端部分のみ、導電部が露出し、その他の部分は絶縁性チューブが被覆されている。以上の部品により、本コンセント１は構成されている。
【００２３】
次に、再び図１ないし図４に従い、本コンセント１の動作を説明する。最初に例えば、使用者の右手は、第２本体６の後方側６ａを押すものとする。この時、第２本体６は、付勢手段９の付勢力に抗して、時計回りに回転し、後方側６ａは第１本体２に当接し、第２本体６は静止する。この時、第２本体６（詳しくは、第２本体６の前方側６ｂ）は開かれる（図１と図２を参照）。
【００２４】
次に、使用者の左手は、電源プラグ１３を掴む。そして、使用者は、電源プラグ１３の第１刃１４が第１刃受４に挿入される様に、電源プラグ１３を下方へ移動させる。この時、電源プラグ１３のプラグ本体１５の前方部分は、第１溝３に挿入される。
【００２５】
即ち、第２本体６が開かれた場合、電源プラグ１３の第１刃１４は第１刃受４に挿入され、電源プラグ１３のプラグ本体１５（例えば、絶縁性プラスチックから成る）は、第１溝３に挿入される構成になっている。
【００２６】
なお、この様に、第２本体６が開かれた場合、第２刃受１０は導電片１１と離れている。その結果として、上記作業中に、使用者の手が充電部に触れる事が防止される。この様に、電源プラグ１３がコンセント１に挿入される（差し込まれる）。
【００２７】
次に、例えば、使用者の右手は、第２本体６の後方側６ａから離れたとする。
この時に、第２本体６は付勢手段９の付勢力により、反時計回りに回る。その結果第２本体６（詳しくは、第２本体６の前方側６ｂ）は閉じられる（図３と図４を参照）。
【００２８】
上述の様に、第２本体６が反時計回りに回ると、第２本体６の前方側６ｂは、徐々に下方に移動する。そして、電源プラグ１３の第２刃（図示せず）は、第２刃受１０に挿入される。また、電源プラグ１３のプラグ本体１５の前方部分は、第２溝７に挿入される（図４を参照）。
【００２９】
即ち、第２本体６が閉じられた場合、電源プラグ１３の第１刃１４および第２刃は各々、第１刃受４および第２刃受１０に挿入され、電源プラグ１３のプラグ本体１５は、第１溝３および第２溝７に挿入される。また、付勢手段９により、第２本体６の前方側６ｂは、反時計回りに付勢されている。
【００３０】
その結果、前方側６ｂは電源プラグ１３のプラグ本体１５を下方へ押す様に働く。それ故、プラグ本体１５は、第１溝３および第２溝７により、固定される。この様に、第２本体６が閉状態の時、電源プラグ１３はコンセント１に固定されている。
【００３１】
上述の様に、第１刃１４と第１刃受４が接続され、第２刃と第２刃受１０が接続されることにより、電源プラグ１３とコンセント１との電気的接続は十分となる。
【００３２】
次に、使用者が電源プラグ１３を外したい場合、例えば、使用者の右手は再び第２本体６の後方側６ａを押すものとする。この時、上述した様に、第２本体６（詳しくは、第２本体６の前方側６ｂ）は開かれる（図１と図２を参照）。
【００３３】
この時、電源プラグ１３の第２刃は第２刃受１０から抜かれ、プラグ本体１５は第２溝７から抜かれる。
【００３４】
次に、使用者の左手は、電源プラグ１３を掴む。そして、使用者は電源プラグ１３を上方へ移動させる。その結果、電源プラグ１３の第１刃１４は、第１刃受４から抜かれ、プラグ本体１５は第１溝３から抜かれる。この様にして、コンセント１から電源プラグ１３を抜く（外す）ことができる。
【００３５】
上記動作の特徴をまとめる。第２本体６の開状態又は閉状態に応じて、各々、電源プラグ１３の抜き差し又は固定が可能となる様に、構成されている。
【００３６】
【発明の効果】
請求項１の本発明では、第１溝が形成された第１本体と、前記第１溝の奥側に配置された第１刃受と、第２溝が形成され、前記第１本体に対し開閉可能に設けられた第２本体と、前記第２溝の奥側に配置された第２刃受とを備え、前記第２本体の開状態又は閉状態に応じて、各々、電源プラグの抜き差し又は固定が可能となる様に構成された。上記構成により、第２本体が開状態になると、電源プラグの抜き差しの動作が容易となる。また、第２本体が閉状態になると、電源プラグの固定が可能となる。
【００３７】
請求項２の本発明では、前記第２本体を常時、閉じさせようとする付勢手段を設けた。上記構成により、第２本体は電源プラグを常時、押さえているので、電源プラグはコンセントに確実に固定される。その結果、電源プラグのプラグ本体は第１溝および第２溝に挿入、固定されるので、プラグ本体の先端近傍に、ホコリが溜まる事が防止される。
【００３８】
請求項３の本発明では、前記第１刃受は第１電源線に接続され、第２電源線に接続された導電片を設け、前記第２本体の開状態又は閉状態に応じて、前記第２刃受は前記導電片に各々、離れ又は接続される。この様に、第２本体が開かれた時は、第２刃受は通電されていないので、使用者が電源プラグを抜き差しする時に、使用者が充電部分に触れる事を防止できる。
【００３９】
請求項４の本発明では、前記第２本体が開かれた場合、前記電源プラグの第１刃は前記第１刃受に挿入され、前記電源プラグのプラグ本体は前記第１溝に挿入される構成とした。この様に、プラグ本体を第１溝に挿入する事により、第１溝が案内（ガイド）となり、電源プラグの第１刃を、コンセントの第１刃受に正確に、かつ、無理なく挿入できる。その結果、第１刃と第１刃受の電気的接続が十分となる。
【００４０】
請求項５の本発明では、前記第２本体が閉じられた場合、前記電源プラグの第１刃および第２刃は各々、前記第１刃受および前記第２刃受に挿入され、前記電源プラグのプラグ本体は前記第１溝および前記第２溝に挿入され、固定される。この様に、プラグ本体を第１溝および第２溝に挿入し、固定するので、使用者がプラグ本体より前方に位置する第１刃および第２刃（充電部）に触れる恐れはない。
【図面の簡単な説明】
【図１】第２本体６が開かれた時、本発明の実施の形態に係るコンセント１の斜視図である。
【図２】第２本体６が開かれた時、上記コンセント１の側面図である。
【図３】第２本体６が閉じられた時、上記コンセント１の斜視図である。
【図４】第２本体６が開かれた時、上記コンセント１の側面図である。
【符号の説明】
２  第１本体
３  第１溝
４  第１刃受
６  第２本体
７  第２溝
１０  第２刃受
【図１】
2004227950.tif 000003
【図２】
2004227950.tif 000004
【図３】
2004227950.tif 000005
【図４】
2004227950.tif 000006